(57)【要約】  【課題】家具本体の一部を動作させるための操作レバーを当該家具本体から可能な限り露出させず、安全性を向上させた家具を提供提供する。  【解決手段】操作レバー５に、家具本体Ａ０に基端部を取り付けられて当該基端部を中心として先端部が弧を描く円運動を行う操作杆５１と、この操作杆５１の先端部に取り付けられて外部からの操作力を受ける操作体５２とを設け、操作杆５１の円運動の全過程において操作体５２がその外表面５２ａを家具本体Ａ０の外表面２ｂに沿わせた状態でスライド動作するように構成した。【選択図】図２
2006136518.tif 000002
【特許請求の範囲】
【請求項１】
一部が動作可能な家具本体と、該家具本体の一部を動作させる際に外部から操作力を加える操作レバーとを具備する家具であって、前記操作レバーに、家具本体に基端部を取り付けられて該基端部を中心として先端部が弧を描く円運動を行う操作杆と、該操作杆の先端部に取り付けられて外部からの操作力を受ける操作体とを設け、前記操作杆の円運動の全過程において前記操作体がその外表面を前記家具本体の外表面に沿わせた状態でスライド動作するように構成していることを特徴とする家具。
【請求項２】
前記操作杆の円運動の全過程において、前記操作体の外表面が前記家具本体の外表面から突出することなくスライド動作するように構成している請求項１記載の家具。
【請求項３】
前記操作杆を、一端部を家具本体又は操作体の何れか一方に取り付けた軸部材と、一端部を家具本体又は操作体の何れか他方に取り付けて前記軸部材にスライド可能に嵌着された管部材とから構成し、これら軸部材と管部材とのスライド動作に伴って前記操作杆の全長を伸縮させるように構成している請求項１又は２記載の家具。
【請求項４】
前記操作レバーが、前記軸部材、管部材、又は前記操作体の何れかを当該操作レバーの基端部側又は先端部側へ牽引又は押圧する付勢部材を具備するものであり、前記家具本体に、前記操作杆の円運動の全過程において前記操作体を前記付勢部材の牽引又は押圧に抗して該家具本体の外表面に沿った位置に留める規制部を形成している請求項３記載の家具。
【請求項５】
前記家具本体の外表面に沿ってスライドガイド部を形成し、前記操作体又は操作杆に、前記円運動の全過程において前記スライドガイド部に案内されるスライダを形成している請求項１、２、３又は４記載の家具。
【請求項６】
前記家具本体に、その外表面に開口して前記操作レバーの少なくとも一部を内在させる開口部を形成し、該開口部の開口縁部近傍に前記スライドガイド部を形成している請求項５記載の家具。
【請求項７】
前記操作体の外表面を、前記操作杆の円運動の全過程において前記家具本体の外表面と面一となるようにしている請求項１、２、３、４、５又は６記載の家具。
【請求項８】
前記家具本体が、動作部位として座面の昇降機構を備えた椅子本体であり、前記操作レバーが前記昇降機構を動作させるために椅子本体に取り付けられたものであって、前記操作体をその外表面が、椅子本体の一部を構成して座面を上面として有する座部又は当該座部を支持する座受部の外表面に沿ってスライド動作し得るように配置している請求項１、２、３、４、５、６又は７記載の家具。
【請求項９】
前記操作体をその外表面が、前記座部の外表面の一部である側面に沿って上下にスライド動作し得るようにしている請求項８記載の家具。
【発明の詳細な説明】
【技術分野】
【０００１】
本発明は、部分的に動作する部位と当該動作部位を操作するための操作レバーとを備えた家具に関するものである。
【背景技術】
【０００２】
一部が動作するように構成された家具が従来より種々考えられており、その動作部分を操作するために設けられた操作レバーが基端側を中心とする円運動を行うようにされたものも各種知られている。このような家具を例示すれば、天板が水平な使用姿勢と起立した収納姿勢の両方を取り得るようにされたフラップテーブル（例えば、非特許文献１（１）、同（５）参照）、着座者の体格に応じて座面の高さ位置を調節すべく座部を昇降させる昇降機構を備えた椅子（例えば、非特許文献１（２）、同（３）参照）、病院等において看者が採血等の際に腕を乗せるための載置板を昇降させるようにした上肢台（例えば、非特許文献１（４）参照）等を挙げることができる。このような各種の家具では、昇降部分を動作させるための部材として、基端部を家具の本体側に取り付けて、この基端部を中心として円運動させることで天板、座部の座部、載置板等が動作する操作レバーが共通して採用されている。
【非特許文献１】コクヨビジネスサービス株式会社ＰＲサービスセンター編集「Office Furniture コクヨ オフィスファニチャー編  2004年度版」，コクヨ株式会社，平成１５年１２月発行，（１）p.288「会議用テーブルKT-120シリーズ」、（２）p.366「ハイタイプイス・作業用イス＜120シリーズ＞」、（３）p.767「患者用イス」、（４）p.767「上肢台」、（５）p.774「フラップテーブル、パーソナルテーブル」
【発明の開示】
【発明が解決しようとする課題】
【０００３】
ところで、このような構成の各種家具においては、操作レバーが家具本体から露出した状態で設けられているのが通例である。しかしながらこのように操作レバーが露出していると、操作レバーの先端部に設けられる操作体（ツマミ部分）不意に手などが当たって動作部位が不用意に作動したり、衣服が引っ掛かってしまう可能性もある。斯かる問題を極力排除するために、上記のような家具では、家具本体の陰すなわち天板、座部、載置台等の下面側に操作レバーを配置した構成が採られているが、操作レバーは基端部を中心として先端部の操作体が円弧ないし部分円弧を描いて動作するため、どうしてもその動作過程において操作体が家具本体の領域から突出する場合がある。このような操作体の突出を防止するために、円運動の半径に相当する操作レバーの全長を短くすると、操作レバーの円運動の過程で操作体が家具本体の内側に潜り込んでしまい、使い勝手が低下する事態を招来しかねない。そこで、操作レバーの使用感を良好に維持しつつ、さらに安全性を向上させた家具が求められている。殊に、医療・介護・福祉施設、或いは幼児や高齢者がいる家庭では、健常な青壮年ほどは俊敏に動作することが難しい者が上述のような家具を使用する機会が多く、また医療施設では体に密着しない白衣を着用する医師も居ることから、このようなさらなる安全性向上に関する配慮への要望はとりわけ高いものといえる。
【０００４】
一方、一般的に家具には分類されないが、自動車の内装の一つとして、背凭れ部を傾動させるようにした運転席用又は助手席用のシートがあり、斯かるシートには背凭れ部の傾動用の操作レバーが座部の側方に設けられているのが通例であるが、この操作レバーの露出をなくすために、座部の内部にレバーを収容し、座部の表面側から操作レバーを押圧操作できるようにしたものも考えられている（例えば、特開2003-276486号公報参照）。しかしながら、このような操作レバーの収容構造は、大型のクッション体である座部を備え、しかも狭い車内空間に配置されるという自動車のシートに適用されるからこそ有用なものであって、家庭やオフィス等の屋内に配置される家具には容易に適用できるものではない。
【０００５】
そこで本発明は、以上のような問題に鑑みて、操作レバーの家具本体からの露出を極力小さくして安全性をさらに向上させた家具の提供を主たる目的とするものである。
【課題を解決するための手段】
【０００６】
すなわち、本発明の家具は、一部が動作可能な家具本体と、この家具本体の一部を動作させる際に外部から操作力を加える操作レバーとを具備する家具であって、操作レバーに、家具本体に基端部を取り付けられて当該基端部を中心として先端部が弧を描く円運動を行う操作杆と、この操作杆の先端部に取り付けられて外部からの操作力を受ける操作体とを設け、操作杆の円運動の全過程において操作体がその外表面を家具本体の外表面に沿わせた状態でスライド動作するように構成していることを特徴としている。
【０００７】
すなわち本発明では、操作レバーのうち操作杆が家具本体に取り付けられた基端部を中心としその基端部と先端部とを結ぶ線分を半径とする円運動する構成を採用する一方、操作杆の先端部側に設けられた操作体を、当該操作体の外表面を家具本体の外表面に沿わせた状態に維持しつつスライド移動させるようにしている。このため、操作レバーの動作過程で操作杆が円運動を行うにも拘わらず、操作体を家具本体の外表面沿いに動作させることができるため、操作体の家具本体からの突出を極力低減し、場合によっては操作体を家具本体の外表面から全く突出させないように構成することも可能となる。以上の結果、本発明は、操作レバーの使用感を損なうことなく、操作体及び操作杆を含む操作レバーの家具本体からの露出度合いを低下させて使用者等による接触に伴う動作部位の不意の作動や衣服の引っ掛かりを防止した安全性の高い家具とすることができるものとなる。
【０００８】
ここで、本発明に係る「家具」とは、家庭、オフィス、医療・福祉施設、公共施設等、主として屋内で使用されることが想定される家具全般を含むものであり、当該家具のうち一部分が外力の入力により円運動する操作レバーによって動作するように構成されたものである。なお、操作レバーの円運動とは、家具本体側に取り付けられた基端部を回転中心として開放端となる先端部が円弧を描く態様を意味し、当該先端部は必ずしも３６０°（一回転）する必要はなく円弧の一部を描くものであればよい。また、操作体の外表面を家具本体の外表面に沿わせるための構成には、操作レバーの構造に工夫を凝らした態様や、家具本体側の構造に工夫を凝らした態様の何れかを採用することができる。特に、操作体を操作杆と共に円運動するように構成した場合における家具本体側に対する構造上の工夫としては、操作体の外表面の円弧状（部分円弧状を含む）の軌跡に対応させて家具本体の外表面を部分的に膨出させた態様を例示することができる。
【０００９】
特に、動作部位を作動させる際の操作レバーの動作時、すなわち操作杆の円運動の全過程において、操作体の外表面が前記家具本体の外表面から突出することなくスライド動作するように構成すれば、使用者の体や衣服が操作体には接触することがない極めて安全性の高い家具を得ることができる。
【００１０】
上述した家具本体側の構造上の工夫とは異なり、操作レバー側の構造上の工夫として、簡易な構成で操作杆の円運動に呼応して操作体をスライド動作させる態様には、操作杆を、一端部を家具本体又は操作体の何れか一方に取り付けた軸部材と、一端部を家具本体又は操作体の何れか他方に取り付けて軸部材にスライド可能に嵌着された管部材とから構成し、これら軸部材と管部材とのスライド動作に伴って操作杆の全長を伸縮させるように構成したものを挙げることができる。ここで、軸部材と管部材とを含めた操作杆の概略的な全体形状としては、棒状や板状を例示することができる。
【００１１】
この場合、確実に操作体の外表面を家具本体の外表面に沿わせて当該操作体をスライド動作させるには、操作レバーを、軸部材、管部材、又は操作体の何れかを当該操作レバーの基端部側又は先端部側へ牽引又は押圧する付勢部材を具備するものとして、家具本体に、操作杆の円運動の全過程において操作体を前記付勢部材の牽引又は押圧に抗して家具本体の外表面に沿った位置に留める規制部を形成した構成とすることが好ましい。
【００１２】
このような構成に加えて、或いはこのような構成としない場合でも、家具本体の外表面に沿ってスライドガイド部を形成し、操作体又は操作杆に、円運動の全過程においてスライドガイド部に案内されるスライダを形成することで、操作体を家具本体の外表面に沿って確実にスライド動作させることが可能となる。この場合、家具本体のスライドガイド部の好ましい態様としては、家具本体に、その外表面に開口して操作レバーの少なくとも一部を内在させる開口部を形成し、この開口部の開口縁部近傍にスライドガイド部を形成したものが挙げられる。その結果、操作杆をも家具本体から極力露出させないようにすることもできる。
【００１３】
特に、操作体の家具本体の外表面からの突出と没入の両方を確実に防止しつつ、使用者による操作体へのアクセス性を極めて良好なものとするには、操作体の外表面を、操作杆の円運動の全過程において家具本体の外表面と面一となるようにすることが望ましい。
【００１４】
以上のような特徴を備えた家具として適用するのに極めて好ましいものの例としては椅子を挙げることができる、すなわち斯かる椅子は、家具本体が、動作部位として座面の昇降機構を備えた椅子本体であり、操作レバーが昇降機構を動作させるために椅子本体に取り付けられたものであって、操作体を、その外表面が椅子本体の一部を構成して座面を上面として有する座部又は当該座部を支持する座受部の外表面に沿ってスライド動作し得るように配置した構成となる。
【００１５】
さらにこのような椅子においては、操作体をその外表面が、座部の外表面の一部である側面に沿って上下にスライド動作し得るようにすることで、操作体への操作性を極めて良好なものとすることができる。
【発明の効果】
【００１６】
本発明は、操作レバーに対する外力の入力により一部が動作する家具本体を備えた家具であって、操作レバーにおける操作杆を、家具本体に取り付けられた基端部を中心として円運動する構成とし、この操作杆の先端部側に設けられた操作体を、外表面を家具本体の外表面に沿わせた状態に維持しつつスライド移動させるように構成したものである。したがって本発明によれば、家具本体の動作部位を動作させる際における操作レバーの動作過程で、操作杆は円運動を行いつつも、操作体が家具本体の外表面沿いにスライド動作するため、操作体を、家具本体から極力突出させず、或いは操作体を家具本体から全く突出させることなく動作させることが可能である。その結果、操作レバーの使用感を良好なものとしつつ、家具本体から操作レバー、とりわけ操作体を使用者やその着衣等に接触させ難くして安全性を向上させた家具を提供することができる。
【発明を実施するための最良の形態】
【００１７】
以下、本発明の一実施形態を、図面を参照して説明する。
【００１８】
図１に斜視図及び図２に背面図を示すこの実施形態に係る家具は、医療機関等で使用されることを想定した患者用の椅子Ａである。この椅子Ａは、全体の概略構成として、床面に接地する脚部１と、看者等の使用者が着座する座部２と、使用者の腰乃至背中を凭せ掛ける背凭れ部３とを備えた椅子本体Ａ０を主体として有するものである。脚部１は、床面に直接的に接地する接地板１１と、この接地板１１から直立させた脚支柱１２とから構成されている。座部２は、下方に向けて窄まった概略円錐台形状を有するものであり、脚支柱１２に支持されて例えば水平回転可能となっている。この座部２は、図３に概略的に縦断面図を示すように、下方へ開放されて脚支柱２１の上端部を収容するように中空部２ｓを形成したものである。背凭れ部３は、座部２における外周面に取り付けられて上方へ延びる支持板３１と、この支持板３１の上端部側に取り付けられた湾曲形状を有する背凭れ本体３２とから構成されている。
【００１９】
この椅子Ａにおいては、動作部位として使用者の体格等に対応して座部２の座面２ａの高さ調節を行うために、脚部１の一部及び背凭れ部３と一体に座部２を昇降させる（以下、「椅子本体Ａ０を昇降」と表現する）昇降機構４を備えている。この昇降機構４は、座部２の中空部２ｓ内において脚支柱１２の上端部側に設けられたガススプリング４１からなるものであるが、本実施形態では既存のガススプリングを適用しているため図面には簡略化して示してある。
【００２０】
そして、本実施形態では、このガススプリング４１を操作するための部材として操作レバー５を備えている。この操作レバー５は、基端部をガススプリング４１に取り付けたものであって、先端部を座部２の外表面の一部である側面２ｂの近傍に位置付けている。そのために、座部２には、中空部２ｓに連通して側面２ｂに開口する連通孔２ｔが形成してあり、この連通孔２ｔに操作レバー５の基端部側を挿入させている。なお、挿通孔２ｔには、当該挿通孔２ｔの開口縁部を保護するカバー部材２１を取り付けている。以下、操作レバー５及びカバー部材２１の構成について詳述する。
【００２１】
操作レバー５は、ガススプリング４１に取り付けられた操作杆５１と、この操作杆５１の先端部に取り付けられた操作体５２とを主として備えている。具体的に操作杆５１は、ガススプリング４１のバルブ（図示省略）に基端部を取り付けられた軸部材５１１と、この軸部材５１１の先端部にスライド可能に外嵌させたパイプ状の管部材５１２とから構成されており、前記バルブの開閉によりガススプリング４１を伸縮させて座部２及び背凭れ部３を昇降動作させる際に、軸部材５１１の基端部を中心として上下方向に回動（円運動）するものである。操作体５２は、図３及び図４に示すように、管部材５１２の先端部に回動自在に枢着されたブロック状の部材である。この操作体５２の両側面には、部分的に突出して上下に延びる突条５２１が形成してある。なお、突条５２１は、座部２の側面２ｂの傾斜に対応して若干傾斜している。一方、カバー部材２１は、図３及び図４に示すように、挿通孔２ｔの開口内周と座部２の側面における挿通孔２ｔの開口周縁とを保護するべく座部２の外方から挿通孔２ｔに嵌め込まれるものであって、前記操作体５２の突条５２１を挿入させるように上下に延びる溝２１１を両内側壁に形成したものである。なお、この溝２１１も、突条５２１と同様に座部２の側面２ｂの傾斜に対応して若干傾斜している。すなわち、カバー部材２１の溝２１１は、操作体５２を上下にスライド動作させるスライドガイド部としての機能を有しており、操作体５２の突条５２１は、スライドガイド部たる溝２１１に案内されて上下にスライド移動するスライダとしての機能を有している。また本実施形態では、操作体５２の突条５２１をカバー部材２１の溝２１１に嵌め込んだ際に、操作体５２の外表面５２ａを座部２の側面２ｂと略面一となるようにされている。なお、より具体的には、操作体５２の外表面５２ａはカバー部材２１の外表面２１ａと略面一となるが、カバー部材２１の外表面２１ａと座部２の側面２ｂとの段差は、両者が実質的に略面一であるといえる程度にごく僅かである。なお付言すれば、カバー部材２１は座部２の一構成部材であるので、操作体５２の外表面５２ａが座部２の外表面と面一であるといっても何ら差し支えない。
【００２２】
以上のような構成に基づいて、椅子本体Ａ０の昇降のために操作レバー５を操作する場合、使用者が指を掛けて又は指を添わせて操作レバー５の操作体５２を上下何れかの方向へ移動させると、操作体５２はその突条５２１がカバー部材２１の溝２１１に案内されてスライド移動する。このとき、操作体５２の外表面５２ａはどの位置に移動しても座部２の側面２ｂと略面一な状態を保っている。さらに、操作体５２の動作に伴って、操作杆５１のうち管部材５２１がその先端部における操作体５２に対する枢着点を中心として若干の回動を伴いながら上下に動作する。そして、この管部材５２の動作に伴って、操作杆５１の軸部材５１１が基端部においてガススプリング４１のバルブを開閉しつつ当該基端部を中心とした鉛直面内での円運動を所定の角度範囲内で行うが、このとき軸部材５１１の先端部は、管部材５１２の基端部に対して進退する。例えば図３における操作レバー５の実線部分は、操作体５２を下動させた際に、軸部材５１１の先端部が管部材５１２の基端部側に最大限に進入して操作杆５１の基端部から先端部までの線分が最短になった状態を示したものであり、想像線部分は、操作体５２を上動させた際に、軸部材５１１の先端部が管部材５１２の基端部側から最大限に退避して操作杆５１の基端部から先端部までの線分が最長になった状態を示したものである。
【００２３】
このように本実施形態では、操作レバー５のうち操作杆５１をその長手方向に相互スライドする軸部材５１１と管部材５１２とから構成し、さらに操作杆５１（管部材５１２）の先端部に配置した操作体５２を座部２の側面２ｂ沿いにのみスライド動作するように拘束する構成を採用しているため、椅子Ａの座部２及び背凭れ部３の昇降動作を行う際に、操作レバー５の基幹部分である操作杆５１は全体として基端部を中心とする円運動を行うにも拘わらず、その先端部に取り付けられた操作体５２にその外表面５２ａが座部２の側面２ｂを沿う動作をさせることができる。特に本実施形態では、操作体５２の外表面５２ａが常に座部２の側面２ｂと略面一な状態を保って動作し得るようにしているので、操作体５２が座部２から突出することが全くない。その結果、この椅子Ａの使用者である看者の体や着衣、或いは医師や看護師の体や着衣が操作体５２に引っ掛かったりそのために座部２（背凭れ部３も含む）が不意に動作するというような不具合を好適に防止することが可能となる。
【００２４】
また、操作レバー５は座部２の側面２ｂに開口させた挿通孔２ｔに挿入した状態で座部２の下方に開口する中空部２ｓ内に内在させてあるので、操作レバー５の何れの部位にも看者、医師、看護師の体や衣服が引っ掛かる心配がない。
【００２５】
さらに、操作体５２の側面にはスライダとして突条５２１を形成し、座部２の挿通孔２ｔを保護するカバー部材２１に形成したガイド部たる溝２１１に突条５２１を挿入した状態で操作体５２のスライド動作が案内されるようにしているため、格別の部材を用いなくても操作体５２のスライド動作を簡便に実現することができる。
【００２６】
なお、本実施形態の一変形例としては、図５及び図６に示す態様の椅子Ａ'を挙げることができる。この椅子Ａ'では、上記実施形態の椅子Ａと同様の脚部１、座部２及び背凭れ部３を用いており、椅子本体Ａ０'の昇降機構としてガススプリング４１を備えているので、これらについては本変形例では上記実施形態と同一の符号を用いて説明を省略する。但し、座部２の挿通孔２ｔを保護するカバー部材２１'には、溝２１１を形成していないものを用いている。
【００２７】
そして、操作レバー５'は、上記実施形態のものと同様に、軸部材５１１'及び管部材５１２'を備えた操作杆５１'と、操作体５２'とを有するものであるが、操作体５２'の略全体のみを座部２の挿通孔２ｔ（詳述すればカバー部材２１'の外表面２１ａ'）から側面２ｂに突出させている。すなわちカバー部材２１'の外表面２１ａ'が操作体５２'のスライド動作のためのガイド部として機能し、この外表面２１ａ'に案内されて操作体５２'が座部２の側面２ｂ沿いに動作するように構成されている。そのための構成として、操作レバー５'には操作体５２'を操作杆５１'の基端部側へ引き寄せる付勢部材５３'を設ける一方、座部２には操作体５２'が挿通孔２ｔへ引き込まれるのを防止する規制部を設定している。具体的に説明すると、付勢部材５３'は、管部材５１２'の内部において、軸部材５１１'の先端部に一端を取り付け、操作体５２'の内方端５２ｂ'に他端を取り付けたコイルバネにより構成される。一方、規制部は、操作体５２'の内方端５２ｂ'に当接するカバー部材２１'の外表面がその機能を果たしている。なお、軸部材５１１'と管部材５１２'との軸心周りの相互回転を防止するために、軸部材５１１'の先端部には径方向にピン５１１ｐ'を立設する一方で、管部材５１２'にはこのピン５１１ｐ'を当該管部材５１２'の長手方向に軸部材５１１'ごとスライドさせるスライド溝５１２ｖ'を形成している。
【００２８】
以上のような構成によれば、上述した実施形態の場合と同様に、操作レバー５'を操作することで、椅子本体Ａ０を昇降させることができる。その際、操作体５２'は座部２の側面２ｂから突出してはいるものの、操作体５２'の外表面は座部２の側面２ｂ沿いにスライド動作し、その一方でガススプリング４１のバルブの開閉のために操作杆５１'が基端部を中心とした円運動を行う。特に、このような操作体５２'及び操作杆５１'の動作を通じて軸部材５１１'の先端部が管部材５１２'の基端部に対して突没し両者が操作杆５１'全体の長さを伸縮させるようにスライド動作することについては上記実施形態と同様であるが、コイルバネからなる付勢部材５３'によって操作体５２'を座部２の側面２ｂへ引き寄せつつ、座部２の挿通孔２ｔに取り付けたカバー部材２１の外表面２１ａにより操作体５２'のスライド動作をガイドし、且つ操作体５２'の挿通孔２ｔへの引き込みを禁止すべく当該挿通孔２ｔに取り付けたカバー部材２１の外表面２１ａを規制部として機能させているため、斯かる作用を奏する別部材を用いる必要をなくすことができる。
【００２９】
なお、本発明は上述した実施形態のような医療機関で用いられる椅子に限定されるものではなく、部分的に動作する部位を有しその動作を円運動により操作する操作レバーを備えた家具全般に適用可能である。このような家具としては、天板がフラップ動作するテーブル、リクライニング機能を有する各種椅子やソファー或いはベッド等を例示することができる。また医療施設や福祉介護施設等で特に用いられる家具としては、ナーシングカート、上肢台等を例示することができる。その他、各部の具体的構成についても上記実施形態に限られるものではなく、操作レバーの具体的形状や構成、操作体の外表面を家具本体の外表面と略面一にするか若干突出又は没入させるかなど、本発明の趣旨を逸脱しない範囲で種々変形が可能である。
【図面の簡単な説明】
【００３０】
【図１】本発明の一実施形態に係る家具の一態様である椅子を示す斜視図。
【図２】同椅子及びその動作を示す背面図。
【図３】同椅子の要部を示す概略的な縦断面図。
【図４】同椅子に設けられる操作レバーの一部及びカバー部材について示す斜視図。
【図５】同実施形態の一変形例に係る椅子及びその動作を示す背面図。
【図６】同椅子の要部を示す概略的な縦断面図。
【符号の説明】
【００３１】
Ａ，Ａ'…家具（椅子）
Ａ０，Ａ０'…家具本体（椅子本体）
２…座部
２ｂ…外表面（側面）
４…昇降機構
５，５'…操作レバー
２１ａ…外表面
２１ａ'…スライドガイド部，規制部
５１，５１'…操作杆
５２，５２'…操作レバー
５３'…付勢部材（コイルバネ）
５２ａ，５２ａ'…外表面
２１１…スライドガイド部（溝）
５１１，５１１'…軸部材
５１２，５１２'…管部材
５２１…スライダ（突条）
【図１】
2006136518.tif 000003
【図２】
2006136518.tif 000004
【図３】
2006136518.tif 000005
【図４】
2006136518.tif 000006
【図５】
2006136518.tif 000007
【図６】
2006136518.tif 000008